(57)【特許請求の範囲】
【請求項１】
短辺土手部と該短辺土手部より高い長辺土手部とを有する底部と、底部の長辺土手部にヒンジ連結された長側壁と、底部の短辺土手部にヒンジ連結された短側壁とを有するとともに、箱型に組み立てられた状態から、先ず最初に、相対する短側壁を、底部に重なるように倒し、次いで、相対する長側壁を、長側壁が、部分的に互いに重なるように倒すことにより、折り畳み可能な折り畳みコンテナーにおいて、前記短辺土手部の両端部には、前記長辺土手部の上面と略面一な上面を有する係止ブロックが配設されており、また、前記底部の長辺土手部の内壁面から前記係止ブロックの先端垂直面までの距離が、前記底部の長辺土手部の内壁面から折り畳まれた状態の前記長側壁の下部水平枠の裏面までの距離より長く形成されており、且つ、前記底部の長辺土手部の内壁面から前記係止ブロックの先端垂直面までの距離を、前記底部の長辺土手部の内壁面から折り畳まれた状態の前記長側壁の下部水平枠の裏面までの距離より長く形成したことによる、前記長側壁が略水平に倒された際の前記長側壁と前記係止ブロックとの干渉を避けるために、前記長側壁の両端下部角部には、切り欠き部が形成されているとともに、前記短側壁の両端下部角部には、前記短側壁を略垂直に立てた際に、前記係止ブロックが嵌まり込む切り欠き部が形成されていることを特徴とする折り畳みコンテナー。
【発明の詳細な説明】
【０００１】
【発明の属する技術分野】
本発明は、底部を囲むように配設された側壁が、底部に重なるように折り畳むことが可能な折り畳みコンテナーに関するものである。
【０００２】
【従来の技術】
従来，平面形状が略長方形に形成された底部の相対する長辺部に、ヒンジ部を介して連結された長側壁と、同じく上記底部の相対する短辺部に、ヒンジ部を介して連結された短側壁とからなり、底部に対して略垂直に長側壁と短側壁を立てることにより、箱型に組み立てられ、また、折り畳む際には、先ず最初に、相対する短側壁を、底部に重なるように倒し、その後、相対する長側壁を、底部に重ねられた短側壁の上に重ねるようにして折り畳むようにした折り畳みコンテナーが知られている。
【０００３】
【発明が解決しようとする課題】
上述した従来の折り畳みコンテナーを、折り畳まれた状態で段積みした際に、上に位置する折り畳まれた状態の折り畳みコンテナーが、下に位置する折り畳まれた状態の折り畳みコンテナーに対して、底部の長辺部に沿って移動し易いという問題があった。
【０００４】
本発明の目的は、上述した従来の折り畳みコンテナーが有する課題を解決することにある。
【０００５】
【課題を解決するための手段】
本発明は、上述した目的を達成するために、短辺土手部と該短辺土手部より高い長辺土手部とを有する底部と、底部の長辺土手部にヒンジ連結された長側壁と、底部の短辺土手部にヒンジ連結された短側壁とを有するとともに、箱型に組み立てられた状態から、先ず最初に、相対する短側壁を、底部に重なるように倒し、次いで、相対する長側壁を、長側壁が、部分的に互いに重なるように倒すことにより、折り畳み可能な折り畳みコンテナーにおいて、前記短辺土手部の両端部には、前記長辺土手部の上面と略面一な上面を有する係止ブロックが配設されており、また、前記底部の長辺土手部の内壁面から前記係止ブロックの先端垂直面までの距離が、前記底部の長辺土手部の内壁面から折り畳まれた状態の前記長側壁の下部水平枠の裏面までの距離より長く形成されており、且つ、前記底部の長辺土手部の内壁面から前記係止ブロックの先端垂直面までの距離を、前記底部の長辺土手部の内壁面から折り畳まれた状態の前記長側壁の下部水平枠の裏面までの距離より長く形成したことによる、前記長側壁が略水平に倒された際の前記長側壁と前記係止ブロックとの干渉を避けるために、前記長側壁の両端下部角部には、切り欠き部が形成されているとともに、前記短側壁の両端下部角部には、前記短側壁を略垂直に立てた際に、前記係止ブロックが嵌まり込む切り欠き部を形成したものである。
【０００６】
【実施例】
以下に、本発明の実施例について説明するが、本発明の趣旨を越えない限り何ら、本実施例に限定されるものでない。
【０００７】
図１に示されているように、折り畳みコンテナーは、底部１と、底部１の相対する長辺側に、適当なヒンジ部材により連結された長側壁２と、底部１の相対する短辺側に、同じく適当なヒンジ部材により連結された短側壁３とから構成されている。
【０００８】
図１に示されているように、底部１に対して、長側壁２と短側壁３とが、略垂直状に立てられた、箱型に組み立てられた状態から、先ず最初に、略垂直状の短側壁３を、底部１方向に回動させて、図２に示されているように、底部１の上に重ね、次いで、略垂直状の長側壁２を、底部１方向に回動させて、底部１の上に重ねられた短側壁３の上に重ねることにより、図３に示されているように、折り畳みコンテナーを、コンパクトに折り畳むことができるように構成されている。また、図３に示されている折り畳まれた状態から、先ず最初に、図２に示されているように、短側壁３の上に重ねられていた長側壁２を、略垂直に立て、次いで、底部１の上に重ねられていた短側壁３を、略垂直に立てて、図１に示されているように、折り畳みコンテナーを箱型に組み立てる。
【０００９】
平面形状が略長方形状の底部１の相対する長辺側には、長辺土手部１ａが形成されており、また、底部１の相対する短辺側には、短辺土手部１ｂが形成されている。長辺土手部１ａの高さは、短辺土手部１ｂの高さより、高く形成されている。
【００１０】
短辺土手部１ｂの両端部には、長辺土手部１ａの両端からは、短辺土手部１ｂ方向に延在する係止ブロック４が配設されており、係止ブロック４の上面４ａと長辺土手部１ａの上面１ａ１とは、略面一に形成されている。
【００１１】
短側壁３の下部水平枠３ａと垂直側枠３ｂとにより形成される両端下部角部には、短側壁３を、略垂直に立てた際に、底部１の短辺土手部１ｂの両端部に形成された係止ブロック４が嵌まり込むことが可能な切り欠き部５が形成されている。
【００１２】
また、長側壁２の下部水平枠２ａと垂直側枠２ｂとにより形成される両端下部角部には、折り畳みコンテナーの折り畳み作業の際に、長側壁２を略水平に倒したときに、底部１の短辺土手部１ｂの両端部に形成された係止ブロック４が嵌まり込むことが可能な切り欠き部６が形成されている。切り欠き部６の奥行き（長側壁２の垂直側枠２ｂから切り欠き部６を構成する垂直壁６ａまでの距離）ｄ１は、係止ブロック４の厚さｄ２と略同じに形成されている。
【００１３】
図１及び図５に示されているように、底部１に対して、長側壁２と短側壁３とが、略垂直状に立てられた、箱型に組み立てられた状態においては、短側壁３の両端下部角部に形成されている切り欠き部５には、底部１の短辺土手部１ｂの両端部に形成された係止ブロック４が嵌まり込み、折り畳みコンテナーが箱型に組み立てられた際に、略垂直に立てられた短側壁３と係止ブロック４とが互いに干渉しないように構成されている。
【００１４】
また、折り畳みコンテナーが箱型に組み立てられた状態から、先ず最初に、略垂直状の短側壁３を、底部１方向に回動させて底部１の上に重ね、次いで、略垂直状の長側壁２を、底部１方向に回動させて、底部１の上に重ねられた短側壁３の上に重ねることにより、図３及び図７に示されているように、折り畳みコンテナーを、コンパクトに折り畳んだ際には、長側壁２の両端下部角部に形成されている切り欠き部６には、底部１の短辺土手部１ｂの両端部に形成された係止ブロック４が嵌まり込み、倒された長側壁２と係止ブロック４とは互いに干渉しないように構成されている。
【００１５】
従来の折り畳みコンテナーにおいては、図３及び図７に示されているように、折り畳みコンテナーが、コンパクトに折り畳まれた状態においては、底部１の長辺土手部１ａの内壁面１ａ２から長側壁２の下部水平枠２ａの裏面までの水平距離ｄ３が、底部１の長辺土手部１ａの内壁面１ａ２から係止ブロック４の先端垂直面４ｂまでの距離ｄ４より、長く形成されているが、本発明においては、底部１の長辺土手部１ａの内壁面１ａ２から係止ブロック４の先端垂直面４ｂまでの距離ｄ４が、底部１の長辺土手部１ａの内壁面１ａ２から長側壁２の下部水平枠２ａの裏面までの水平距離ｄ３より、長く形成されている。このように、底部１の長辺土手部１ａの内壁面１ａ２から係止ブロック４の先端垂直面４ｂまでの距離ｄ４が、底部１の長辺土手部１ａの内壁面１ａ２から長側壁２の下部水平枠２ａの裏面までの水平距離ｄ３より、長く形成されていると、長側壁２が、略水平に倒された際に、長側壁２が、係止ブロック４にぶつかり干渉されて、長側壁２を、略水平に倒すことができなくなるので、上述したように、長側壁２の下部水平枠２ａと垂直側枠２ｂとにより形成される両端下部角部には、係止ブロック４が嵌まり込むことが可能な切り欠き部６が形成されている。このような切り欠き部６を形成することにより、長側壁２が、略水平に倒された際に、長側壁２が、係止ブロック４に干渉するようなことがなく、略垂直に立てられた長側壁２の底部１方向への円滑な回動を実現することができる。
【００１６】
折り畳まれた状態の折り畳みコンテナーを段積みした際には、下に位置する折り畳みコンテナーの底部１の裏面に突設された公知の嵌合部１ｃが、底部１に形成された長辺土手部１ａと短辺土手部１ｂの両端部に形成された係止ブロック４の内側に嵌合されるとともに、嵌合部１ｃの周囲に形成された周状載置面１ｄのうち、長辺側載置面１ｄ１が、底部１の長辺土手部１ａの上面１ａ１に載置され、また、短辺側載置面１ｄ２が、係止ブロック４の上面４ａに載置さるように構成されている。
【００１７】
図８に示されているように、折り畳まれた状態の折り畳みコンテナーを段積みした際には、上に位置する折り畳みコンテナーが、底部１の短辺土手部１ｂに沿って移動しようとしても、底部１の裏面に突設された嵌合部１ｃが、底部１の長辺土手部１ａの内壁面１ａ２に当接し、その移動が制限されるように構成されており、また、上に位置する折り畳みコンテナーが、底部１の長辺土手部１ａに沿って移動しようとしても、底部１の裏面に突設された嵌合部１ｃが、底部１の短辺土手部１ｂの両端部に形成された係止ブロック４の内壁面４ｃに当接し、その移動が制限されるように構成されており、従って、上に位置する折り畳まれた状態の折り畳みコンテナーの下に位置する折り畳まれた状態の折り畳みコンテナーに対する水平移動が抑制され、安定した状態で、多段に、折り畳まれた状態の折り畳みコンテナーを段積みすることができる。
【００１８】
上述したように、係止ブロック４の底部１の長辺土手部１ａの内壁面１ａ２から係止ブロック４の先端垂直面４ｂまでの距離ｄ４を長くしたことにより、底部１の裏面に突設された嵌合部１ｃの４つの角部１ｃ１のアールが大きい場合にも、底部１の裏面に突設された嵌合部１ｃが、底部１の短辺土手部１ｂの両端部に形成された係止ブロック４の内壁面４ｃに当接することができ、従って、上に位置する折り畳まれた状態の折り畳みコンテナーの下に位置する折り畳まれた状態の折り畳みコンテナーに対する水平移動が確実に抑制され、安定した状態で、多段に、折り畳まれた状態の折り畳みコンテナーを段積みすることができる。
【００１９】
また、折り畳みコンテナーを箱型に組み立てた際には、長側壁２の下部水平枠２ａが、底部１の長辺土手部１ａの上面１ａ１に当接或いは接近して配置されるので、長側壁２に上方からの負荷が加わった場合には、このような負荷は、長側壁２の下部水平枠２ａが、底部１の長辺土手部１ａに当接することにより負担されるので、長側壁２と底部１とを連結するヒンジ部が損傷するようなことを防止することができる。
【００２０】
更に、折り畳みコンテナーを箱型に組み立てた際には、短側壁３の両端下部角部に形成された切り欠き部５を構成する略水平状の天枠３ｃが、底部１の短辺土手部１ｂの両端部に形成された係止ブロック４の上面４ａに当接或いは接近して配置されるので、短側壁３に上方からの負荷が加わった場合には、このような負荷は、短側壁３の下部水平枠３ａと底部１の短辺土手部１ｂとの当接、及び、切り欠き部５を構成する天枠３ｃが、係止ブロック４に当接することにより負担されるので、このような負荷が、短側壁３と底部１とを連結するヒンジ部に加わり、ヒンジ部が損傷するようなことを防止することができる。
【００２１】
なお、上述した実施例には、箱型に組み立てられた折り畳みコンテナーを、折り畳む際に．最初に、短側壁３を底部１方向に倒し、次いで、長側壁２を倒すようにした例が示されているが、先ず最初に、長側壁２を底部１方向に倒し、次いで、短側壁３を倒すように構成することもできる。
【００２２】
【発明の効果】
本発明は、以上説明した構成を有しているので、以下に記載する効果を奏するものである。
【００２３】
短辺土手部の両端部に係止ブロックを配設したので、上に位置する折り畳まれた状態の折り畳みコンテナーの下に位置する折り畳まれた状態の折り畳みコンテナーに対する水平移動が抑制され、安定した状態で、多段に、折り畳まれた状態の折り畳みコンテナーを段積みすることができる。
【００２４】
短辺土手部の両端部に係止ブロックを配設したので、短側壁に上方からの負荷が加わった場合には、このような負荷が、短側壁３と底部１との当接、及び、短側壁と係止ブロックとの当接により負担され、短側壁と底部とを連結するヒンジ部に加わるようなことがないので、従って、短側壁と底部とを連結するヒンジ部が損傷するようなことを防止することができる。
【図面の簡単な説明】
【図１】図１は本発明の折り畳みコンテナーが箱型に組み立てられた状態の斜視図である。
【図２】図２は本発明の折り畳みコンテナーの組み立て途中の斜視図である。
【図３】図３は本発明の折り畳みコンテナーが折り畳まれた状態の斜視図である。
【図４】図４は本発明の折り畳みコンテナーの底部の裏面斜視図である。
【図５】図５は本発明の折り畳みコンテナーが箱型に組み立てられた状態の部分拡大斜視図である。
【図６】図６は本発明の折り畳みコンテナーの組み立て途中の部分拡大斜視図である。
【図７】図７は本発明の折り畳みコンテナーが折り畳まれた状態の部分拡大斜視図である。
【図８】図８は本発明の折り畳まれた状態の折り畳みコンテナーが段積みされた状態の斜視図である。
【符号の説明】
１・・・・・・・・・・・・・・底部
２・・・・・・・・・・・・・・長側壁
３・・・・・・・・・・・・・・短側壁
４・・・・・・・・・・・・・・係止ブロック
５、６・・・・・・・・・・・・切り欠き凹部
【図１】
0003764696.tif 000002
【図２】
0003764696.tif 000003
【図３】
0003764696.tif 000004
【図４】
0003764696.tif 000005
【図５】
0003764696.tif 000006
【図６】
0003764696.tif 000007
【図７】
0003764696.tif 000008
【図８】
0003764696.tif 000009